(57)【要約】【課題】各使用者の携帯機器に録画コンテンツを配信する録画装置において、携帯機器などの外部機器での再生用に行う録画コンテンツの変換処理を、使用者の再生時刻に間に合うように効率的に処理する。【解決手段】録画装置１０には、使用者毎生活リズムデータベース（データベース）１２において、複数の外部機器の各々の使用パターンが記憶される。タスクスケジュール管理部１６５は、複数の録画コンテンツの変換処理で変換部１６４を行うとき、前記各外部機器の使用パターンに基づいて、その複数の変換の処理順序を調整する。従って、使用者が外部機器で録画コンテンツを再生すると予測される時刻までにその変換を完了できる可能性を高めることができる。【選択図】図１
2017163274.tif 000002
【特許請求の範囲】
【請求項１】
録画コンテンツを記憶する記憶部と、
外部機器の使用パターンを記憶するデータベースと、
所定の録画コンテンツを変換して前記記憶部に記憶する変換部と、
前記データベースに記憶された外部機器の使用パターンに基づいて、前記変換部での複数の録画コンテンツの変換の順序を調整する処理順序調整部とを備えた
ことを特徴とする録画装置。
【請求項２】
前記請求項１記載の録画装置において、
前記処理順序調整部は、
前記複数の外部機器の使用パターンから各々の録画コンテンツの変換許容期間を取得して、前記変換許容期間に基づいて、前記複数の録画コンテンツの変換の順序を調整する
ことを特徴とする録画装置。
【請求項３】
前記請求項２記載の録画装置において、
前記変換許容期間は、屋内で前記外部機器と通信可能な期間である
ことを特徴とする録画装置。
【請求項４】
前記請求項２又は３記載の録画装置において、
前記処理順序調整部は、
前記変換許容期間内に前記録画コンテンツの変換が完了すると判断できる場合には、変換の順序を変更しない
ことを特徴とする録画装置。
【請求項５】
前記請求項２〜４の何れか１項に記載の録画装置において、
前記処理順序調整部は、
前記変換許容期間が先に終了する録画コンテンツの変換を優先して処理する
ことを特徴とする録画装置。
【請求項６】
前記請求項５記載の録画装置において、
前記処理順序調整部は、
前記変換許容期間が先に終了する録画コンテンツの変換の優先処理を、該優先処理によって後回しにされる録画コンテンツの変換が該録画コンテンツの変換許容期間内に終了すると判断できる場合に限り行う
ことを特徴とする録画装置。
【請求項７】
前記請求項５又は６記載の録画装置において、
変換される録画コンテンツには優先度が付加されており、
前記処理順序調整部は、
前記後回しにされる録画コンテンツの変換が該録画コンテンツの変換許容期間内に終了すると判断できない場合には、優先度の高い録画コンテンツの変換を優先して処理する
ことを特徴とする録画装置。
【請求項８】
前記請求項１又は２記載の録画装置において、
変換される録画コンテンツには優先度が付加されており、
前記処理順序調整部は、
前記データベースに記憶された外部機器の使用パターンと、前記録画コンテンツに付加された優先度とに基づいて、前記変換部での複数の録画コンテンツの変換の順序を調整する
ことを特徴とする録画装置。
【請求項９】
前記請求項８記載の録画装置において、
前記処理順序調整部は、
複数の録画コンテンツが配信される各々の外部機器の使用パターンに基づいて、前記複数の録画コンテンツの変換許容期間を取得し、前記取得した複数の変換許容期間と、前記録画コンテンツに付加された優先度とに基づいて、前記複数の録画コンテンツの変換の順序を調整する
ことを特徴とする録画装置。
【請求項１０】
前記請求項８又は９記載の録画装置において、
前記処理順序調整部は、
変換許容期間内で変換する複数の録画コンテンツを、該複数の録画コンテンツの優先度の順序で変換するように、変換の順序を調整する
ことを特徴とする録画装置。
【請求項１１】
前記請求項１、２及び８の何れか１項に記載の録画装置において、
前記処理順序調整部は、
録画コンテンツの変換の順序の調整に関して外部機器に通知可能である
ことを特徴とする録画装置。
【請求項１２】
前記請求項１１記載の録画装置において、
前記処理順序調整部は、
録画コンテンツの変換の順序を変更したとき、該変更後の変換の順序を外部機器に通知する
ことを特徴とする録画装置。
【請求項１３】
前記請求項１２記載の録画装置において、
前記処理順序調整部は、
前記変換の変更を前記外部機器から拒否する指示を受けたとき、前記変換の変更を元に戻す
ことを特徴とする録画装置。
【請求項１４】
前記請求項１１〜１３の何れか１項に記載の録画装置において、
前記処理順序調整部は、
前記変換許容期間内に録画コンテンツの変換が完了しないと判断するとき、該録画コンテンツの変換が完了しない旨を外部機器に通知する
ことを特徴とする録画装置。
【発明の詳細な説明】
【技術分野】
【０００１】
本発明は、録画装置に関し、特に、携帯機器に録画コンテンツを配信して携帯機器にて録画コンテンツを再生できるようにしたものの改良に関する。
【背景技術】
【０００２】
従来、この種の録画装置として、例えば特許文献１では、放送番組を２４時間常時一時記憶部に録画しながら、携帯機器から録画コンテンツの再生要求があった時には、その録画コンテンツを一時記憶部からハードディスク等の保存領域に自動的に移動させつつ、その録画コンテンツを携帯機器で再生できるように変換して携帯機器に配信している。
【０００３】
また、特許文献２では、携帯機器での再生を可能にする技術ではないが、放送される多数の番組の中からユーザの嗜好や生活習慣に適応した番組を抽出し、ユーザに情報提供できるように、ユーザの行動内容情報や行動時間情報を予め取得して記憶しておき、それらの情報とＥＰＧ（Electric Program Guide）データ等の番組情報とを用いて、ユーザの嗜好等に合致した放送番組を抽出し、その再生や録画を推奨する技術が開示されている。
【先行技術文献】
【特許文献】
【０００４】
【特許文献１】特開２００７−２５１２８０号公報
【特許文献２】特開２００８−１１８４０８号公報
【発明の概要】
【発明が解決しようとする課題】
【０００５】
ところで、昨今では、録画装置に録画したコンテンツをテレビ等に転送して自宅内で再生し視聴する利用態様に加えて、多数のユーザがその専有する各々の携帯機器から種々のネットワークを通じて録画コンテンツの配信を録画装置に要求する利用態様が急増している。
【０００６】
このような状況の中で、携帯機器から配信要求があった際には、録画装置は前記の通り録画コンテンツを携帯機器で再生可能なように変換するが、この変換は、携帯機器にて扱えるデータ形式へのエンコードを伴う処理であるため、例えば３時間の放送番組の変換ではほぼ同時間の３時間程度の変換時間を要するのが現実である。
【０００７】
しかしながら、前記特許文献１の技術では、携帯機器からの１つの配信要求に対して確実に変換して配信できるものの、複数の携帯機器から各々配信要求が出されている場合には、配信要求毎に変換に時間を要する関係上、それら複数の配信要求を通常通りその要求順に処理しようとすると、ユーザが携帯機器で録画コンテンツを再生、視聴しようとした時には、未だその変換及び配信が完了していない可能性が高くなる。
【０００８】
同様に、前記特許文献２の技術では、ユーザの嗜好等に合致した放送番組の視聴や録画を推奨できるものの、その推奨番組を携帯機器に配信しようとすると、他のユーザからの配信要求が既に出されている場合には、その他のユーザからの配信要求の処理（保存や変換）の完了を長時間待ち、その後に推奨番組の変換処理を行って配信する必要が生じるため、ユーザがその推奨番組を再生しようとした時には、携帯機器への配信が未だ完了していない可能性が高い。
【０００９】
例えば先に配信要求を出していても、その後に録画コンテンツを再生する時点までに長時間が存在する場合に、他の使用者が後に配信要求して、比較的短時間で録画コンテンツを視聴し始めるときには、通常通りの配信要求の順序で録画コンテンツの変換処理を行うと、先の配信要求に基づく録画コンテンツの変換処理の途中で後の配信要求をした使用者が携帯機器で再生しようとしても、再生できない欠点が生じる。
【００１０】
本発明は係る点に鑑み、その目的は、携帯機器などの外部機器への録画コンテンツの配信を行う録画装置において、外部機器の使用者（ユーザ）では、録画コンテンツを再生し始める時点がその使用者の外部機器の使用パターンに応じて使用者毎に個々異なる点に着目し、例えば複数の使用者から各々録画コンテンツの変換処理が数要求されている場合などには、それらの変換処理を通常通りの要求の順番に従わず、その順番をその複数の外部機器の使用パターンに応じて適宜変更、調整することによって、可能な限り使用者の再生時点の前までに変換処理を完了させて、使用者の視聴要求に適応的に応えるようにすることにある。
【課題を解決するための手段】
【００１１】
前記目的を達成するため、請求項１記載の発明の録画装置は、録画コンテンツを記憶する記憶部と、外部機器の使用パターンを記憶するデータベースと、所定の録画コンテンツを変換して前記記憶部に記憶する変換部と、前記データベースに記憶された外部機器の使用パターンに基づいて、前記変換部での複数の録画コンテンツの変換の順序を調整する処理順序調整部とを備えたことを特徴とする。
【００１２】
前記請求項１記載の発明では、変換部で複数の録画コンテンツの変換処理が要求されている場合には、処理順序調整部は、その複数の録画コンテンツが配信される外部機器の使用パターンに基づいて、それらの変換処理の順番を調整する。ここに、各外部機器の使用パターンに基づけば、配信要求から使用者が実際に外部機器で録画コンテンツを再生するまでの期間を把握し予測できるので、例えば２つの配信要求のうち先にされた配信要求では実際に録画コンテンツを再生するまでの期間が長い場合には、その２つの配信要求の処理順序を変更して、その再生までの期間が短い後の配信要求の変換処理を先に優先して行うことができるので、後の配信要求をした使用者の視聴要求を満たすことができる。
【００１３】
請求項２記載の発明は、前記請求項１記載の録画装置において、前記処理順序調整部は、前記複数の外部機器の使用パターンから各々の録画コンテンツの変換許容期間を取得して、前記変換許容期間に基づいて、前記複数の録画コンテンツの変換の順序を調整することを特徴とする。
【００１４】
また、請求項３記載の発明は、前記請求項２記載の録画装置において、前記
変換許容期間は、屋内で前記外部機器と通信可能な期間であることを特徴とする。
【００１５】
前記請求項２記載の発明では、処理順序調整部が、配信要求された録画コンテンツの変換許容期間、すなわち、配信要求から使用者が録画コンテンツを再生するまでの期間をその使用者が使用する外部機器の使用パターンから取得して予測できるので、その変換許容期間の短い配信要求、すなわち、早い時期での変換処理が要求される配信要求を優先して処理することができる。
【００１６】
特に、請求項３記載の発明では、前記変換許容期間が屋内で前記外部機器と通信可能な期間であるので、次に使用者が外出して直ぐに録画コンテンツを外部機器で再生する際にも、変換処理を確実に完了させておくことが可能である。
【００１７】
請求項４記載の発明は、前記請求項２又は３記載の録画装置において、前記処理順序調整部は、前記変換許容期間内に前記録画コンテンツの変換が完了すると判断できる場合には、変換の順序を変更しないことを特徴とする。
【００１８】
前記請求項４記載の発明では、変換許容期間内に変換処理を完了できる場合には、変換の要求順序で処理すれば良く、処理順序調整部の負担が小さくなる。
【００１９】
請求項５記載の発明は、前記請求項２〜４の何れか１項に記載の録画装置において、前記処理順序調整部は、前記変換許容期間が先に終了する録画コンテンツの変換を優先して処理することを特徴とする。
【００２０】
また、請求項６記載の発明は、前記請求項５記載の録画装置において、前記処理順序調整部は、前記変換許容期間が先に終了する録画コンテンツの変換の優先処理を、該優先処理によって後回しにされる録画コンテンツの変換が該録画コンテンツの変換許容期間内に終了すると判断できる場合に限り行うことを特徴とする。
【００２１】
更に、請求項７記載の発明は、前記請求項５又は６記載の録画装置において、変換される録画コンテンツには優先度が付加されており、前記処理順序調整部は、前記後回しにされる録画コンテンツの変換が該録画コンテンツの変換許容期間内に終了すると判断できない場合には、優先度の高い録画コンテンツの変換を優先して処理することを特徴とする。
【００２２】
前記請求項５記載の発明では、２つの配信要求のうち、変換許容期間が先に終了する配信要求、すなわち、使用者の外部機器での再生が近づいている配信要求について、変換処理を優先して処理するので、使用者の視聴要求に良好に応えることができる。
【００２３】
特に、請求項６記載の発明では、２つの配信要求のうち、変換許容期間が先に終了する配信要求の変換処理を優先して処理する場合には、その優先処理によって後回しにされた配信要求の変換処理がその変換許容期間内で終了することが条件とされる。従って、複数の配信要求の処理順序の変更によっても、それら複数の配信要求をそれらの変換許容期間内で完了させて、全ての配信要求に応えることができる。
【００２４】
一方、請求項７記載の発明では、前記優先処理によって後回しにされる配信要求の変換処理がその変換許容期間内で終了しない場合には、その優先処理しようとする配信要求と、後回しにされる配信要求との間で、それら配信要求された２つの録画コンテンツのうち優先度の高い録画コンテンツの方が先に変換される。従って、２つの配信要求のうち一方が変換許容期間内で終了しない場合であっても、優先度の高い録画コンテンツの変換処理が先に優先処理されるので、できる限り使用者の視聴要求に応えることが可能である。
【００２５】
請求項８記載の発明は、前記請求項１又は２記載の録画装置において、変換される録画コンテンツには優先度が付加されており、前記処理順序調整部は、前記データベースに記憶された外部機器の使用パターンと、前記録画コンテンツに付加された優先度とに基づいて、前記変換部での複数の録画コンテンツの変換の順序を調整することを特徴とする。
【００２６】
請求項８記載の発明では、変換の処理順序が、外部機器の使用パターンと録画コンテンツの優先度とに基づいて調整されるので、要求された全ての変換処理が各々その録画コンテンツの配信を受ける外部機器の次回の予測再生時刻までに完了できない場合であっても、優先度の高い録画コンテンツから順に変換処理を行うことができて、可能な限り使用者の視聴要求に応えることができる。
【００２７】
請求項９記載の発明は、前記請求項８記載の録画装置において、前記処理順序調整部は、複数の録画コンテンツが配信される各々の外部機器の使用パターンに基づいて、前記複数の録画コンテンツの変換許容期間を取得し、前記取得した複数の変換許容期間と、前記録画コンテンツに付加された優先度とに基づいて、前記複数の録画コンテンツの変換の順序を調整することを特徴とする。
【００２８】
請求項１０記載の発明は、前記請求項８又は９記載の録画装置において、前記処理順序調整部は、変換許容期間内で変換する複数の録画コンテンツを、該複数の録画コンテンツの優先度の順序で変換するように、変換の順序を調整することを特徴とする。
【００２９】
前記請求項９記載の発明では、変換許容期間が短い配信要求の変換処理や、優先度の高い録画コンテンツの変換処理を優先的に先に処理することが可能になる。
【００３０】
その場合、請求項１０記載の発明では、前記変換許容期間内で複数の録画コンテンツの変換を完了できる場合にも、それら複数の録画コンテンツを優先度の高い順で変換を行うので、再生の要求度の高い録画コンテンツの変換を優先して行うことができる。
【００３１】
請求項１１記載の発明は、前記請求項１、２及び８の何れか１項に記載の録画装置において、前記処理順序調整部は、録画コンテンツの変換の順序の調整に関して外部機器に通知可能であることを特徴とする。
【００３２】
請求項１２記載の発明は、前記請求項１１記載の録画装置において、前記処理順序調整部は、録画コンテンツの変換の順序を変更したとき、該変更後の変換の順序を外部機器に通知することを特徴とする。
【００３３】
請求項１３記載の発明は、前記請求項１２記載の録画装置において、前記処理順序調整部は、前記変換の変更を前記外部機器から拒否する指示を受けたとき、前記変換の変更を元に戻すことを特徴とする。
【００３４】
前記請求項１１記載の発明では、録画コンテンツの変換の順序の調整に関して外部機器に通知可能であるので、外部機器の使用者は録画コンテンツの変換やその変換順序の状況を知ることが可能である。
【００３５】
その場合、前記請求項１２記載の発明では、要求された録画コンテンツの変更後の変換の順序が外部機器に通知されるので、その外部機器の使用者は自己が再生する録画コンテンツの変換の順番を知ることができる。
【００３６】
また、請求項１３記載の発明では、自己が再生する録画コンテンツの変換の順番が遅いと判断する場合に、その遅らされた変換の順序変更を拒否すると、処理順序調整部はその拒否を受けて、その変換の順序を元に戻すので、使用者は自己が配信要求した録画コンテンツを確実に視聴することが可能になる。
【００３７】
請求項１４記載の発明は、前記請求項１１〜１３の何れか１項に記載の録画装置において、前記処理順序調整部は、前記変換許容期間内に録画コンテンツの変換が完了しないと判断するとき、該録画コンテンツの変換が完了しない旨を外部機器に通知することを特徴とする。
【００３８】
前記請求項１４記載の発明では、外部機器には、再生する録画コンテンツの変換がその再生時に間に合わないとの通知を受けるので、その外部機器の使用者は、その録画コンテンツの再生を諦めたり、その変換の要求をキャンセルするなど、対応を取ることができる。
【発明の効果】
【００３９】
以上説明したように、本発明によれば、携帯端末などの外部機器の使用パターンを記憶し、その外部機器の使用パターンに基づいて録画コンテンツ変換の処理順序を調整して、複数の変換処理のうち外部機器で再生されると予測される時間までが短い方の変換処理を優先処理することができるので、外部機器での再生希望時には既にその変換処理を完了させておく可能性を高くでき、録画装置のリソースを最大限に活用しながら録画コンテンツの視聴要求に対する満足度を高くすることができる。
【図面の簡単な説明】
【００４０】
【図１】本発明の第１の実施形態に係る録画装置内部の主要概略構成の一例を示すブロック図である。
【図２】同録画装置において複数の使用者から録画コンテンツの変換要求があった場合にその変換の処理順序の調整を説明する概略フローチャート図である。
【図３】録画装置における使用者別の生活リズムを解析した一例を示す図である。
【図４】使用者１の生活リズムにおける在宅期間内で録画コンテンツの変換を行う時間を示す図である。
【図５】使用者２の生活リズムにおける在宅期間内で録画コンテンツの変換を行う時間を示す図である。
【図６】使用者１と使用者２の要求した録画コンテンツの変換の従来での処理順序を示す図である。
【図７】使用者１と使用者２の要求した録画コンテンツの変換の本実施形態での処理順序を示す図である。
【図８】同録画装置において複数の使用者から録画コンテンツの変換要求があった場合にその変換の処理順序の調整を説明するメインフローチャート図である。
【図９】同メインフローチャートにて呼び出されて、先に要求された変換処理を後回しにするよう処理順序を変更するサブフローチャート図である。
【図１０】本発明の第２の実施形態に係る録画装置において複数の使用者から録画コンテンツの変換要求があった場合にその変換の処理順序の調整を説明するメインフローチャート図である。
【図１１】同メインフローチャートにて呼び出されて、録画コンテンツの優先度順に変換処理を行うよう処理順序を調整するサブフローチャート図である。
【図１２】番組（録画コンテンツ）の使用者毎の優先度の一例を示す図である。
【図１３】録画コンテンツ変換の処理順序を調整した後の携帯端末へのその処理順序のお知らせ画面の一例を示す図である。
【発明を実施するための形態】
【００４１】
以下、本発明の実施形態を図面に基づいて詳細に説明する。
【００４２】
（第１の実施形態）
図１は、本発明の第１の実施形態に係る録画装置内部の主要概略構成を示している。
【００４３】
＜録画装置の概略構成＞
図１の録画装置１０は、例えば録画機能を備えたＴＶ受像機である。この録画装置１０は、ＴＶ放送波を復調するＴＶチューナー部１００と、使用者（ユーザ）の指示を受け付けるリモコン装置１１０と、リモコン装置１１０からの赤外線信号を受け取る受光部１２０と、複数の使用者（例えば１家族の父、母、兄弟、姉妹、祖父母など）が使用する各々の携帯端末（外部機器）２０との交信を実行する無線通信部１３０と、コンテンツの映像を表示する表示部１４０と、必要なデータを蓄えるための半導体メモリ及び磁気ディスクを含む記憶部１５０と、これらのブロックの動作を制御する制御部１６０とを備えている。
【００４４】
前記複数の携帯端末２０は、各々、その専有する使用者が本録画装置１０から録画コンテンツの配信を受けて再生、視聴可能なものであり、その視聴のために、手動操作により録画コンテンツの配信を本録画装置１０に要求可能である。
【００４５】
前記記憶部１５０は、コンテンツ記憶部（記憶部）１１と、使用者毎生活リズムデータベース（データベース）１２と、磁気ディスク部１３とを有する。前記コンテンツ記憶部１１は、放送番組である多数のコンテンツを前記制御部１６０の制御により一時記憶して記憶する。
【００４６】
使用者毎生活リズムデータベース１２は、後に詳述するように、前記複数の携帯端末２０の複数の使用者の各々の生活リズムから、その各使用者が使用する携帯端末２０の使用パターンを取得したデータの集合体である。また、前記磁気ディスク部１３は、例えば使用者が携帯端末２０を操作して前記コンテンツ記憶部１１に一時記憶された録画コンテンツを携帯端末２０で視聴しようと要求した際に、その要求された録画コンテンツが保存される。
【００４７】
前記制御部１６０は、映像音声データ処理部１６１と、通信処理部１６２と、録画処理部１６３と、変換部１６４と、タスクスケジュール管理部１６５との各々の機能を、ソフトウェア制御により実現するプロセッサである。映像音声データ処理部１６１は、ＴＶチューナー部１００から受け取った放送番組コンテンツである映像音声データのデコード処理などを実行する。通信処理部１６２は、無線通信部１３０を介した携帯端末２０との交信処理などを実行する。録画処理部１６３は、一連の放送番組コンテンツを所定のフォーマットに変換して前記コンテンツ記憶部１１に一時記憶する処理などを実行する。
【００４８】
また、前記変換部１６４は、コンテンツ記憶部１１に一時記憶された録画コンテンツのうち携帯端末２０の使用者が指定した録画コンテンツや、指定された放送番組を前記コンテンツ記憶部１１とは別領域の磁気ディスク部１３に保存すると共に、この保存した録画コンテンツを携帯端末２０で再生して視聴できるようにエンコードを伴う変換を行う。そして、この変換部１６４で変換された録画コンテンツ１は、無線通信部１３０を介してその再生を要求された携帯端末２０へ配信される。尚、この変換部１６４は、本実施形態では、同時に複数の録画コンテンツの変換処理はできず、同時では１つのみの録画コンテンツの変換を行う処理能力を持つものとして、以下、説明する。
【００４９】
更に、タスクスケジュール管理部１６５は、後に詳述するように、例えば使用者の携帯端末２０の操作に基づく録画コンテンツの配信要求を無線通信部１３０を介して受けて、その配信要求が複数ある場合に前記変換部１６４での複数の録画コンテンツ間の変換の処理順序を前記使用者毎生活リズムデータベース１２の使用者の生活リズムに応じた各携帯端末２０の使用パターンに基づいて調整し、管理する処理順序調整部として機能する。
【００５０】
＜概略動作＞
次に、複数の携帯端末２０から各々録画コンテンツの配信要求があった場合の本録画装置１０の概略動作を図２のフローチャートを用いて説明する。
【００５１】
図２において、ステップＳ１において特定の使用者が携帯端末２０を操作して、コンテンツ記憶部１１に一時記憶された録画コンテンツのうち所定の録画コンテンツの配信が要求される。この配信要求は無線通信部１３０を介してタスクスケジュール管理部１６５に入力されて、変換部１６４でのその録画コンテンツの変換がステップＳ２以降で実行される。
【００５２】
先ず、ステップＳ２では、前記配信要求をした使用者（以下、自使用者という）以外の使用者（以下、他使用者という）からの配信要求の有無を調査し、他使用者からの配信要求が既にある場合には、この２つの配信要求同士を比較する。この比較は、変換対象の録画コンテンツの変換に要する時間（変換時間）同士と、その変換を完了しておくべき最終時刻同士である。この最終時刻は、前記使用者毎生活リズムデータベースに記憶された自使用者及び他使用者の生活リズム（生活パターン）に基づいて決定されるが、その詳細は後述する。
【００５３】
次いで、ステップＳ３では、前記２つの配信要求の比較の結果に基づいて、自使用者の配信要求を他使用者の配信要求に優先させる必要がある場合には、録画コンテンツの変換の順序を変更することとして、自使用者の録画コンテンツの変換を他使用者の録画コンテンツの変換よりも先に処理する。
【００５４】
その後、ステップＳ４において、前記変更した自使用者及び他使用者の録画コンテンツの変換の処理順序を前記自使用者及び他使用者の各携帯端末２０に通知し、その後、ステップＳ５において、前記変更後の処理順序で自使用者及び他使用者の録画コンテンツの変換を実行する。
【００５５】
尚、前記ステップＳ４において、変更した変換の処理順序を各携帯端末２０に通知した後、その通知を受けた他使用者が携帯端末２０を操作して、その変更を拒否する信号を出力した際には、タスクスケジュール管理部１６５は、その拒否信号を受けて、その変更した変換の処理順序を元に戻す機能を有している。従って、他使用者は、前記変更の拒否により、自己が視聴する録画コンテンツを確実に視聴することが可能である。
【００５６】
以上のように、本実施形態では、使用者毎生活リズムデータベースに記憶された自使用者及び他使用者の生活リズムに基づいて自使用者及び他使用者の配信要求の処理順序、すなわち変換の順序を変更する点が重要である。以下、先ず、使用者毎生活リズムデータベース１２に記憶された自使用者及び他使用者の生活リズムについて説明する。
【００５７】
＜生活リズムの具体例＞
図３は、携帯端末２０の使用者１と他の携帯端末２０の使用者２との生活リズムの解析例を示す。この２人の使用者１、２の１日の生活リズムは、その使用者が専用する携帯端末２０で録画コンテンツを再生したか否かに関する情報として、４種の時間帯、すなわち、（１）不在、（２）在宅、（３）在宅で利用、（４）外出先で利用が区分されている。（１）不在は使用者が在宅でなく且つ携帯端末２０で録画コンテンツを再生していない時間帯、（２）在宅は使用者が在宅で且つ携帯端末２０で録画コンテンツを再生していない時間帯、（３）在宅で利用は在宅で且つ携帯端末２０で録画コンテンツを再生し視聴した時間帯、（４）外出先で利用は外出先（すなわち在宅でなく（＝不在））で且つ携帯端末２０で録画コンテンツを再生した時間帯である。前記１日の生活リズムを例えば１週間分だけ集計すると、図３に示す１週間分の生活リズムが得られる。この生活リズムは例えば１週間毎などの所定期間毎に使用者毎生活リズムデータベース１２に更新して記憶される。
【００５８】
前記生活リズムは、本実施形態では自動で取得されて使用者毎生活リズムデータベース１２に記憶される。この自動取得は次のように行われる。
【００５９】
すなわち、各携帯端末２０は屋内の無線又は有線ＬＡＮ（Local Area Network）の自宅のホームネットワークに接続可能な状態に設定される。タスクスケジュール管理部１６５は、３０分や１時間などの所定時間毎に各携帯端末２０が前記自宅ホームネットワーク内で認識可能か否かを調査して、各使用者が前記（２）在宅中か、自己の携帯端末２０を自宅外に持ち出して外出したか（すなわち前記（１）不在か）を判断する。
【００６０】
更に、前記タスクスケジュール管理部１６５は、各携帯端末２０からのアクセスを自宅ホームネットワークを介して受けたか外部ネットワークを介して受けたかを調査して、前記（３）在宅で利用か、（４）外出先で利用かを判断すると共に、変換した録画コンテンツの再生を何時どの場所で行ったかの履歴を各携帯端末２０から取得して、前記（３）在宅で利用か、（４）外出先で利用かを判断する。
【００６１】
また、タスクスケジュール管理部１６５は、録画コンテンツを自宅外に持ち出す際など、携帯端末２０と本録画装置１０とのペアリングが必要な際にその携帯端末２０から前記録画コンテンツの再生履歴などの情報を取得する。
【００６２】
このように、タスクスケジュール管理部１６５は、使用者の携帯端末２０を用いた再生に関する生活リズムを形成する情報を自動で取得する情報取得部として機能する。従って、携帯端末２０の各使用者は自己の生活リズムを使用者毎生活リズムデータベース１２に手動で入力する必要がない。
【００６３】
尚、前記４つの期間は、携帯端末２０での再生の有無を一要素として区別されているので、その携帯端末２０での再生が有る場合には、その携帯端末２０の使用者のＣＰＵ占有率を予測することができる。
【００６４】
一方、前記タスクスケジュール管理部（情報取得部）１６５は、前記自動で取得した使用者毎の生活リズムについて、各使用者がリモコン装置１１０又は携帯端末２０を用いて変更を指示したときには、その変更指示に基づいてその使用者の生活リズムを変更する。従って、自動で取得した使用者の生活リズムについて、例えば使用者の臨時の再生、視聴などが含まれる場合には、その臨時の再生に関する情報を削除して、その使用者の習慣に応じた正確な生活リズムを使用者毎生活リズムデータベース１２に記憶し直すことができる。
【００６５】
前記タスクスケジュール管理部１６５は、複数の使用者が各々専用する携帯端末２０のシリアルナンバーや、ＭＡＣアドレス、ＩＰアドレス等のネットワーク情報を無線通信部１３０を介して各携帯端末２０から取得して、それら携帯端末２０を個別に識別して、その各携帯端末２０を使用する使用者を個別に認識する。尚、使用者の個別認識については、他に、顔認識センサやモーションセンサ、ＧＰＳ等の外部装置を使用してもよい。
【００６６】
以上のようにして、タスクスケジュール管理部１６５は、携帯端末２０を専用する使用者毎に図３に示した生活リズム（生活パターン）を取得して、この使用者毎の生活リズムを各使用者の携帯端末２０の使用パターンとして、使用者毎生活リズムデータベース１２に記憶する。
【００６７】
＜使用者の生活リズムに基づく複数の変換の順序の変更＞
次に、複数の携帯端末２０から各々録画コンテンツの配信要求が出された場合に、タスクスケジュール管理部１６５がそれらの録画コンテンツの変換を処理する順序の特徴点を説明する。
【００６８】
タスクスケジュール管理部１６５は、基本的には、携帯端末２０からの録画コンテンツの配信要求があった順序でその録画コンテンツの変換の処理を指示するが、後に出された配信要求を優先的に先に処理するよう変換の処理順序を変更する場合がある。この変換の処理順序の変更は、前記使用者毎生活リズムデータベース１２に記憶された図３の使用者の生活リズム（携帯端末２０の使用パターン）に基づいて行われる。
【００６９】
具体的に、前記図３に示した使用者１、２の生活リズムを用いて説明すると、本実施形態では、放送中の番組の変換の要求が自動で出されたり、使用者１や使用者２が携帯端末２０を手動で操作して所定の録画コンテンツの配信を要求した場合に、その録画コンテンツを再生する可能性があるタイミングは、その配信要求後の（１）不在又は（４）外出先で利用の期間内であると決定する。その理由は、（２）在宅及び（３）在宅で利用の各期間内では、使用者１及び使用者２は親機である録画装置１０を利用してその表示部１４０で録画コンテンツを再生すると考えて、在宅中に携帯端末２０にて放送番組などの録画コンテンツを持ち出して再生する機会は少ないと判断でき、また、携帯端末２０に録画コンテンツを配信するためにはホームネットワーク内に携帯端末２０が存在していることが条件である場合が多い事実からである。
【００７０】
従って、本実施形態では、録画コンテンツの配信要求の発生後に使用者１や使用者２が外出先から帰宅してホームネットワーク内に戻ってきた（２）在宅及び（３）在宅で利用の各期間内で、配信要求された録画コンテンツの変換を行うこととして説明する。
【００７１】
図３に示した使用者１、２の生活リズムにおいて、変換後の録画コンテンツの配信が可能な期間、即ち、変換部１６４で録画コンテンツの変換の処理動作が許容できる期間（変換許容期間）は、使用者１では（２）在宅及び（３）在宅で利用の両期間、即ち、携帯端末２０とのホームネットワークを通じて屋内で携帯端末２０と通信可能な期間であり、具体的には、図４にも示すように夜２１時〜翌朝８時の期間である。また、使用者２では図５にも示すように夜１９時〜翌日１５時の期間である。ここで、図４に示すように録画コンテンツの変換に例えば３時間を要する配信要求が深夜１時に発生した場合（この配信要求を同図に右下がりハッチングで示す）を考える。図５に示すように、使用者２では、使用者１の配信要求に先立って変換に深夜２４時から朝８時までの８時間を要する配信要求が既に発生していた場合には、使用者１の配信要求は、通常では図６に示すように、使用者２の配信要求が朝８時に完了した時点に続いて１１時まで録画コンテンツの変換が行われることになる。従って、この通常の場合には、使用者１の（１）在宅の終了時（朝８時）までに使用者１の配信要求を完了できず、その結果、例えば使用者１が朝１０時からその配信要求した録画コンテンツを再生しようとしても、再生できず、使用者１の配信要求に応えることが不可能となる。
【００７２】
しかし、図３に示した使用者１及び使用者２の生活リズムを検討すると、図５の使用者２の生活リズムでは変換の処理動作の終了時が朝８時であって、変換許容期間の終了時（昼１５時）まで７時間の期間が存在する。従って、図７に示すように、３時間を要する使用者１の変換処理を使用者２の変換処理に先立って優先して行っても、使用者２の変換処理は深夜４時から昼１２時に行われて、使用者２の変換許容期間の終了時（昼１５時）までに十分余裕を持って完了する。
【００７３】
以上を考慮して、タスクスケジュール管理部１６５は、使用者１の変換許容期間と使用者２の変換許容期間とを比較し、変換許容期間が先に終了する使用者１の配信要求を優先的に処理する必要があると判断して、先ず、使用者１の配信要求に基づく録画コンテンツの変換を優先的に処理し、その後に、使用者２の配信要求に基づく変換を行うように、使用者１と使用者２との配信要求に基づく変換の処理順序を変更、調整する。
【００７４】
従って、図４及び図５の具体例では、前記タスクスケジュール管理部１６５による変換の処理順序の変更によって、通常の配信要求の順番での処理では間に合わない使用者１の変換処理を先に行ってその変換許容期間内で完了できると共に、その優先処理によって使用者２の配信要求の変換が後回しにされても、その使用者２での変換をもその変換許容期間内に完了できて、使用者１、２双方の配信要求に基づく変換処理を確実にそれらの変換許容期間内で完了できる。
【００７５】
尚、前記具体例では、使用者１の配信要求での変換処理を優先処理しても、使用者２の配信要求での変換処理をその変換許容期間内に完了できる場合を例示したが、状況によっては使用者１の配信要求の優先処理によって使用者２の配信要求での変換処理がその変換許容期間内に完了できなくなる場合もあり得る。この場合には、使用者２の配信要求は使用者１よりも先に行ったにも拘わらず、その録画コンテンツの変換は完了できず、再生できなくなる。このため、予め配信要求される録画コンテンツに優先度を付しておき、この優先度が高い録画コンテンツの方を優先して変換すれば、使用者の嗜好の強い録画コンテンツの再生要求に応えることが可能である。
【００７６】
＜具体的動作＞
次に、前記図７に示した変換の処理順序の変更の具体的動作を図８及び図９のフローチャートに基づいて説明する。この動作はタスクスケジュール管理部１６５が行う。
【００７７】
先ず、図８において、ステップＳ１では、使用者１において処理対象となる放送番組（録画コンテンツ）の配信要求が発生する。この配信要求は図４では深夜１時に発生する。その後、ステップＳ２では、使用者２が既に配信要求している録画コンテンツの変換の処理時間と、使用者１に配信要求に基づく録画コンテンツの変換に要する処理時間との合計処理時間を算出する。この算出した合計処理時間をＡとする。この合計処理時間の算出は、図５での変換の処理時間（８時間）と、図４での変換の処理時間（３時間）との合計値（１１時間）である。
【００７８】
次いで、ステップＳ３において、使用者毎生活リズムデータベース１２に記憶した図３の使用者１の生活リズムを参照して、現在時刻から使用者１の生活リズムでの（２）在宅及び（３）在宅で利用の合計期間の終了時刻までを、変換許容期間として算出して取得する。この取得した変換許容期間をＢとする。この変換許容期間Ｂは、図３及び図４の使用者１の生活リズムでの深夜１時から朝８時までの７時間である。
【００７９】
そして、次のステップＳ４において、前記算出した使用者１及び使用者２の双方の処理時間を合計した合計処理時間Ａを前記変換許容期間Ｂと比較し、Ａ＜Ｂか否か、すなわち、先にされた使用者２の配信要求に基づく変換の完了に続いて後にされた使用者１の配信要求に基づく変換を基本通り配信要求の順序で行っても、使用者１での変換をその変換許容期間の終了までに完了するか否かを判断する。図４及び図５の具体例では、Ａ（１１時間）＞Ｂ（７時間）であり、配信要求の順序では使用者１の配信要求を満たせないと判断される。その結果、Ａ＜Ｂの場合、すなわち、基本通り配信要求の先後の順序で使用者１の配信要求を満たす場合には、直ちに終了するが、Ａ＞Ｂの場合には、ステップＳ５に進んで図９に示すサブフローチャートを実行して、携帯端末２０の使用者の生活リズムに基づいた配信要求の順序の変更を試みる。
【００８０】
具体的に、図９のサブフローチャートは、複数（ｎ＝１、２、３…）の使用者から配信要求があった一般的な場合にも適用可能なものを示しており、先ず、ステップＳ１では、設定値ｎを１つ更新する。ここで、設定値ｎの初期値は零（ｎ＝０）である。
【００８１】
次に、ステップＳ２では、最新の配信要求よりもｎ個前の配信要求をした使用者の変換完了予定時刻からその使用者の（２）在宅及び（３）在宅で利用の期間（変換許容期間）の終了時刻までの余裕時間Ｃを算出する。図４及び図５の具体例では、使用者１の配信要求の１個前に配信要求をした使用者２での余裕時間（朝８時から昼１５時までの７時間）を算出する。
【００８２】
その後、ステップＳ３において、前記算出した余裕時間Ｃから、ｎ―１個前までの配信要求に基づく変換の処理時間と最新（ｎ＝０）の配信要求に基づく変換の処理時間との合計値を減算し、その減算結果をＤとする。図４及び図５の具体例では、余裕時間Ｃ（＝７時間）から使用者１の最新の配信要求に基づく変換の処理時間（３時間）を減算し、減算結果Ｄ（＝４時間）を得る。すなわち、本ステップＳ３では、図４及び図５の具体例で説明すると、使用者１の配信要求をその１個前の使用者２の配信要求に先立って処理しても、使用者２の配信要求に基づく変換処理をその使用者２の（２）在宅及び（３）在宅で利用の期間（変換許容期間）内に完了できるか否かを判断している。
【００８３】
そして、ステップＳ４において、前記減算結果Ｄが正値（０＜Ｄ）か否かを判断し、０＞Ｄの場合、すなわち、最新の配信要求に基づく変換を優先処理できない場合には、ステップＳ１に戻り、ｎを１個増やして（ｎ＝ｎ＋１）更に１個前の配信要求に基づく変換に優先して最新の配信要求を処理できるか否かを判断する。具体的には、例えば設定値ｎがｎ＝２の場合には、例えば２（＝ｎ）個前の配信要求を後回しにして、１（＝ｎ―１）個前の配信要求と最新（＝ｎ−２＝０）の配信要求とを優先処理できるか否かを判断する。
【００８４】
一方、０＜Ｄの場合、すなわち、最新の配信要求を優先処理しても、そのｎ個前までの配信要求をそれらの変換許容期間内で完了できる場合には、ステップＳ５において、前記図８のステップＳ４と同様にＡ＜Ｂか否か、すなわち、最新の配信要求の優先処理によって、その配信請求に基づく変換をその変換許容期間Ｂ内で完了できるか否かを判断し、完了できる場合（Ａ＜Ｂ）には、ステップＳ６において、ｎ個前までの配信要求に基づく変換処理を最新の配信要求の後回しにするよう、変換の処理順序を変更して、リターンする。図４及び図５の具体例では、使用者２の配信要求に基づく変換処理を使用者１の配信要求の後回しにする。
【００８５】
一方、前記ステップＳ５においてＡ＞Ｂの場合、すなわち、最新の配信要求の優先処理によっても、その変換許容期間内にその配信要求に基づく変換処理を完了できない場合には、ステップＳ７において、設定値ｎの値を所定の最大値ｎＭＡＸ（例えば４）と比較し、ｎ＝ｎＭＡＸの場合には、ステップＳ１に戻って、配信要求の処理順序の変更によって最新の配信要求の優先処理が可能か否かの判断を継続する。しかし、ｎ＝ｎＭＡＸの場合には、最新の配信要求の優先処理はできない状況、例えば放送中の番組の変換の要求時点が変換許容期間の終了間近であった場合であるなどと結論し、変換の処理順序を基本通り配信要求の順序に維持して、リターンする。
【００８６】
そして、前記図８のフローチャートに戻って、ステップＳ６において、前記図９のサブフローチャートの実行により最新の配信要求の優先処理が可能な場合には、その最新の配信要求の優先処理を実行する。
【００８７】
その後は、ステップＳ７において、最新の配信要求の優先処理を実行した場合には、変更した変換の処理順序を関連する携帯端末２０にＯＳＤ又はメール通知する一方、変換を変換許容期間内に処理できない場合には、その旨を通知して、終了する。
【００８８】
従って、前記図８及び図９のフローチャートによれば、使用者の配信要求に基づく変換処理をその使用者の生活リズムに基づいた変換許容期間内に完了できない場合であっても、最大数ｎＭＡＸまでの配信要求の間で変換の処理順序の変更を試みて、例えば３個前の配信要求を後回しにし、２個前及び１個前の配信要求と最新の配信要求とを優先処理して、それら４個の配信要求を、各々、それら配信要求をした個々の使用者の生活リズムに基づいた各々の変換許容期間内に完了できる可能性を高くすることができる。よって、携帯端末２０使用する複数の使用者の録画コンテンツの再生要求を効率的に消化して、それらの再生要求に応える確率を高くできる。
【００８９】
更に、携帯端末２０の個数が多くても、それらからの配信要求を受け付けて、最大数ｎＭＡＸ（＝例えば４）まで遡って配信要求の順序を変更するので、家族の人数が多い家庭に本録画装置１０を配置しても、それら携帯端末２０からの再生要求に可能な限り応えることができる。
【００９０】
尚、本実施形態では、自動取得した各使用者の生活リズムの中で（２）在宅及び（３）在宅で利用の合計期間を変換許容期間として算出したが、本発明はこれに限定されず、例えば（２）在宅の期間のみを変換許容期間として算出しても良いし、他の期間を算出しても良い。更に、変換許容期間を算出せずに、例えば配信要求した複数の使用者の生活リズム中で次に携帯端末２０を用いて再生すると推測される時刻同士を比較し、その時刻が早く到来する使用者の配信要求に基づく録画コンテンツの変換を優先処理するようにしても良い。
【００９１】
（第２の実施形態）
本実施形態は、複数の配信要求に対する録画装置１０の処理能力が多くない場合であっても、携帯端末２０からの配信要求に良好に対応できるように構成したものである。
【００９２】
すなわち、本実施形態では、各携帯端末２０における変換の要求数を予め設定した所定値に制限すると共に、録画コンテンツの配信要求に優先度を設けて前記使用者の生活リズム（携帯端末２０の使用パターン）と優先度とに基づいて複数の配信要求の変換の処理順序を変更、調整するものである。以下、具体的に説明する。
【００９３】
図１０は、本実施形態に係る録画装置のメインフロチャートを示す。同図のフローチャートでは、前記第１の実施形態で示した図８のメインフロチャートのステップＳ１〜Ｓ４までの処理、すなわち、発生した配信要求の変換処理の完了時間Ａがその配信要求した使用者の生活リズムでの変換許容期間Ｂ内で終了するか否かを判別するまでの処理と同一である。
【００９４】
図１０のメインフロチャートでは、前記ステップＳ４において、Ａ＜Ｂの場合、すなわち、発生した配信要求の変換処理が変換許容期間Ｂ内で終了しない場合には、ステップＳ５において、図１１のサブフローチャートに基づいて変換の処理順序の変更を試みる。
【００９５】
前記図１１のサブフローチャートでは、ステップＳ１において、現在発生している複数の配信要求に基づく変換の処理順序を、それら配信要求をした録画コンテンツの優先度に従ってソートする。例えば、使用者１及び使用者２からの録画コンテンツ（テレビ番組）の配信要求が各々３つあり、使用者１からの３つの番組の優先度が、番組１＝優先度：７５、番組２＝優先度：９０、番組３＝優先度：５０であり、使用者２からの３つの番組の優先度が、番組４＝優先度：７０、番組５＝優先度：６５、番組６＝優先度：９５である場合には、ソート結果として、番組６、番組２、番組１、番組４、番組５、番組３の順序が得られる。
【００９６】
ここで、配信要求された録画コンテンツの優先度は、図１２に示すように、使用者として例えば父、母、私、祖父の各人別に、配信要求がされた録画コンテンツの属性として、「キーワード」、「ジャンル」、「１回以上再生」等を用い、それらの属性が一致する場合に、「キーワード」一致では５０点、「ジャンル」一致では３０点、「１回以上再生」一致では３０点の重み値に重み付けし、一致する属性の重み値の合計点を優先度として算出している。同図では、放送番組（録画コンテンツ）が『オリンピック名場面男子スーパー大回転決勝』（15:00〜16:00放送）の場合に前記４人の使用者が共に配信要求をしている場合に、使用者「父」が何れの属性についても一致して優先度（合計点）が１１０点で最も高く、次いで使用者「祖父」の優先度が高く、その後に使用者「私」の優先度が高く、使用者「母」の優先度が最も低い状態を例示している。従って、図１２の例では、変換の処理順序を、使用者「父」、「祖父」、「私」、「母」の順序に並べ替える。
【００９７】
尚、図１２の重み付けは例示であり、その他、録画コンテンツの属性として、放送番組（録画コンテンツ）へのアクセス回数、再生回数、予め設定した優先キーワード（例えばお気に入りの番組名称やタレント名称）、予め設定した優先ジャンル（スポーツ、ニュース、アニメ等）、視聴率、良く用いられる検索ワードや文字入力履歴（例えば辞書登録用語やスマートフォンでのウェブブラウザ履歴など）との一致の有無、既に別の携帯端末２０に変換して配信している番組（録画コンテンツ）からの情報、段階評価での直接的な指示（例えば星評価「★★★★★」によるマーキングなど）のような複数の属性を用いても良い。
【００９８】
次に、ステップＳ２において、使用者毎生活リズムデータベース１２を参照して、各使用者の生活リズムでの現在時刻から（２）在宅及び（３）在宅で利用の合計期間の終了時刻までを、各々、変換許容期間Ｘ１、Ｘ２、Ｘ３…として算出する。
【００９９】
その後、ステップＳ３において、前記算出した変換許容期間Ｘ１、Ｘ２…が先に終了する生活リズムの使用者の配信要求から順番に、その使用者からの全録画コンテンツの変換の合計処理時間Ｙｎが変換許容期間Ｘｎ（ｎ＝１、２…）内で収まるか否かを判断しながら、それらの配信要求を優先度順に再配置する。前記の例では、例えば、使用者１での変換許容期間Ｘ１が使用者２での変換許容期間Ｘ２よりも早くに終了する場合には、先に使用者１の番組を優先度順に番組２、番組１、番組３と再配置し、それらの合計処理時間Ｙ１が変換許容期間Ｘ１内に収まると判断すると共に、続いて使用者２の番組を優先度順に番組６、番組４、番組５と再配置し、それらの合計処理時間Ｙ２が変換許容期間Ｘ２内に収まらないと判断する。
【０１００】
次いで、ステップＳ４では、各使用者からの配信要求に基づく変換の合計処理時間Ｙｎをその使用者ｎでの変換許容期間Ｘｎと比較し、Ｙｎ＜Ｘｎの場合、すなわち、使用者ｎからの各配信要求の全ての変換処理をその変換許容期間Ｘｎ内で処理可能な場合には、ステップＳ５に進んで、前記ステップＳ１で優先度順にソートした変換の処理順序を変更し、基本通り、先に配信要求をした使用者から順番に、変換の順序を優先度順に決定して、リターンする。前記例では、先に使用者１の番組を優先度順の番組２、番組１、番組３の順序で変換処理し、その後に使用者２の番組を優先度順の番組６、番組４、番組５の順序で変換処理することとする。
【０１０１】
一方、前記ステップＳ４にてＹｎ＞Ｘｎの場合、すなわち、何れかの使用者の配信要求に基づく変換をその変換許容期間Ｘ内に処理できない場合には、優先度順に処理するように、ステップＳ６において、前記ステップＳ１でソートした優先度順で変換を処理する順序に決定して、リターンする。前記例では、使用者２の３つの配信要求が変換許容期間Ｘ２内で完了しないので、変換の処理順序は、使用者２の番組６を先頭にし、次いで使用者１の番組２、番組１、使用者２の番組４、番組５と続き、最後に使用者１の番組３の順序となる。
【０１０２】
そして、前記図１１のサブフローチャートから図１０のメインフローチャートにリターンすると、同図のステップＳ６において、前記図１１のサブフローチャートのステップＳ５又はＳ６で決定した処理順序で複数の使用者からの配信要求に基づく変換を処理する。
【０１０３】
その後、ステップＳ７において、前記決定、実行する変換の処理順序を各使用者ｎにＯＳＤ又はメール通知する。
【０１０４】
図１３は、前記使用者に通知する変換の処理順序のお知らせ画面の一例を示す。同図では、配信要求された録画コンテンツ（番組）の優先度に基づいて変換の処理順序が決定された場合を例示している。このお知らせ画面では、変換の処理順序を優先順位でお知らせする旨の文章表示と、変換の処理の順番がその優先度の順で記載される。変換処理期間内に処理可能な第１−５番目までの配信要求では、その配信要求に基づく番組名と、配信要求をした使用者と、その番組の優先度とが記載される。変換処理期間内に処理できないと決定された第６−８番目の配信要求では、その配信要求に基づく番組名と、配信要求をした使用者と、変換処理期間内に処理できない旨が、『次回外出には間に合いません』との文章で、例えば赤色表示（この表示をハッチングを付して表示している）で通知されている。
【０１０５】
尚、図１３に示した使用者への通知画面では、変換処理の完了時刻が通知されないが、これを通知しても良い。
【０１０６】
＜本実施形態の効果＞
以上説明したように、本実施形態では、各携帯端末２０での録画コンテンツの変換の要求数の最大値を予め設定した所定値（本実施形態では３個）に制限したので、制御部１６０の処理能力がさほど高くない場合であっても、後に発生した変換の要求を使用者の生活リズムに基づいて優先処理できる余裕をその制御部１６０の処理能力に持たせて、一部の変換要求に応えることができない可能性を低減でき、本録画装置１０のリソースを最大限に活用することが可能である。
【０１０７】
また、例えば複数の使用者が各々複数の変換要求を同時に出している状況であっても、それら使用者の生活リズム（携帯端末２０の使用パターン）と変換要求された録画コンテンツの優先度とに基づいて、それらの配信要求に基づく変換の処理順序を決定したので、前記第１の実施形態と比べてより一層に各使用者の配信要求に応えることができ、使用者の録画コンテンツの視聴をより確実化できる。具体的には、前記例では、使用者の生活リズムから録画コンテンツの変換許容期間Ｘｎを算出して、先に変換許容期間Ｘ１が終了する使用者１の配信要求の番組１〜番組３の変換を最初に優先度の高い順に番組２、番組１、番組３の順で処理し、その後に、後に変換許容期間Ｘ２が終了する使用者２の配信要求の番組４〜番組６の変換を優先度の高い順に番組６、番組４、番組５の順で処理するので、使用者１が使用者２よりも早く再生し視聴するであろう番組１〜番組３の変換を確実に処理できる。
【０１０８】
しかも、使用者２の配信要求の番組４〜番組６の変換がその使用者２の生活リズムでの変換許容期間Ｘ２内に完了できない場合には、番組６は２人の使用者１、２全体での配信要求の順序では最後であるものの、これ等番組の中で優先度が最も高いので、最初に番組６の変換が優先的に行われる。従って、使用者１が配信要求した優先度の最も低い番組３や更にはその次に優先度の低い番組５が変換許容期間内で変換できない対象となる。従って、使用者２が配信要求した３つの番組４〜番組６の全ては変換できない状況であっても、優先度の最も高い番組６は確実に変換されるので、使用者２は録画コンテンツを視聴する満足度を高く得ることが可能である。
【０１０９】
尚、本実施形態では、使用者２での変換許容期間Ｘ２内に番組４〜番組６の変換が完了しない場合を例示したが、使用者１での変換許容期間Ｘ１内に番組１〜番組３の変換が完了しない場合にも、変換の処理順序は、前記と同様に、番組の優先度順に、使用者２の番組６、使用者１の番組２、番組１、その後に使用者２の番組４、番組５、使用者１の番組３の順序となる。
【０１１０】
また、前記実施形態では、何れかの変換許容期間Ｘｎ内に録画コンテンツの変換が完了しない場合には、出されている全ての配信要求を優先度の順に処理したが、その他、例えば使用者２の番組４〜番組６を変換許容期間Ｘ２で完了できない場合に、その使用者２の３つの番組を優先度順に並べ替えて、番組６、番組４、番組５の順序で変換処理を行っても良い。
【０１１１】
本実施形態では、図１３に示したように、録画コンテンツの変換処理の順番が使用者の携帯端末２０に通知されるので、その通知を受けた使用者は、自己の変換処理の順番を知ることができると共に、その順番では再生時刻に間に合わないと判断する場合や、自己の変換処理が次回外出時までには間に合わない（変換許容期間内で処理できない）との通知を受けた場合には、その処理順序を携帯端末２０を用いて拒否する操作が可能であるので、変換を要求した録画コンテンツの視聴の可能性を高めることができる。
【０１１２】
＜その他の構成＞
前記第１及び第２の実施形態では、各携帯端末２０の使用者の生活パターン（携帯端末２０の使用パターン）をタスクスケジュール管理部１６５が自動で取得して、使用者毎生活リズムデータベース１２に入力する構成を採用したが、本発明はこれに限らず、本録画装置１０の初回起動時に、各使用者がリモコン装置１１０を用いて自己の生活パターンを手動で入力しても良い。
【０１１３】
また、前記各実施形態では、タスクスケジュール管理部１６５で取得した各使用者の生活リズムを、後に各使用者が自己の生活リズムに修正を加える構成としても良い。この場合には、使用者は自己が行った視聴が日々の慣習でなく、臨時の視聴であった場合などには、その再生時間帯を生活リズムから削除することができ、自己の生活リズムを慣習に応じたより正確なものにできる。
【０１１４】
更に、以上の実施形態では、変換部１６５は、同時に１つの録画コンテンツの変換を処理する能力を持つ場合を例示したが、その他、例えば２以上の録画コンテンツを同時に変換できる処理機能を持つ場合にも本発明を同様に適用できる。
【０１１５】
尚、コンテンツ記憶部１１の空き記憶容量が少なくなってきた場合には、表示部１４０を用いて各使用者に通知して対応を仰ぐ、又は古い番組かつ視聴者の少ない番組など、削除に支障をきたさないと判断した番組から削除を行うようにしても良い。
【０１１６】
また、前記各実施形態では、携帯端末２０の各使用者が携帯端末２０を用いて自ら録画コンテンツの再生を希望すべく、その録画コンテンツ変換を要求した場合を例示したが、本発明はこれに限定されず、録画コンテンツの変換が要求されるのは、録画コンテンツの再生回数が設定値に達したときや、予め定めた所定のキーワードに一致した番組が放送されて録画が要求されたとき等の場合が含まれても良く、これ等の場合にタスクスケジュール管理部１６５が自動で録画コンテンツの変換の順序を調整するように構成しも良い。従って、この場合には、携帯端末２０の使用者の嗜好に応じた録画コンテンツや放送番組も自動で変換の処理順序の調整の対象にすることができる。
【産業上の利用可能性】
【０１１７】
以上説明したように、本発明は、携帯端末などの外部機器の使用パターンに基づいて複数の録画コンテンツの変換の処理順序を調整し、早期に再生されると予測される録画コンテンツの変換を優先処理できるので、携帯機器を使用する複数の使用者の再生要求に適応的に応えることができ、携帯機器の各使用者に録画コンテンツを配信する録画装置に利用して、有用である。
【符号の説明】
【０１１８】
１０        録画装置
１１        コンテンツ記憶部（記憶部）
１２        使用者毎生活リズムデータベース
（データベース）
１３        磁気ディスク部
２０        携帯端末（外部機器）
１００      ＴＶチューナー部
１３０      無線通信部
１５０      記憶部
１６０      制御部
１６３      録画処理部
１６４      変換部
１６５      タスクスケジュール管理部
（処理順序調整部、情報取得部）
【図１】
2017163274.tif 000003
【図２】
2017163274.tif 000004
【図３】
2017163274.tif 000005
【図４】
2017163274.tif 000006
【図５】
2017163274.tif 000007
【図６】
2017163274.tif 000008
【図７】
2017163274.tif 000009
【図８】
2017163274.tif 000010
【図９】
2017163274.tif 000011
【図１０】
2017163274.tif 000012
【図１１】
2017163274.tif 000013
【図１２】
2017163274.tif 000014
【図１３】
2017163274.tif 000015